(57)【特許請求の範囲】
【請求項１】
非接触式自動改札機の本体と非接触券との間でデータの授受を行って入出場処理する非接触式自動改札機において、
前記非接触式自動改札機の本体の改札通路内の利用者を検知する人間検知手段と、
前記非接触券に記録されているデータを読取る読取手段と、
読取られたデータを基にした所定の入出場の演算処理の結果、入出場が許可されたときの所定のデータを前記非接触券に書込む書込手段と、
前記非接触券に所定のデータの書込みが行われたことを確認する確認手段と、
前記非接触券に記録されたデータの確認前にその入出場処理が中断し、かつ、前記改札通路からの利用者の戻りが検知されたときにその非接触式自動改札機の本体のリセットを保留するリセット制御手段と、
を有することを特徴とする非接触式自動改札機。
【請求項２】
請求項１に記載の非接触式自動改札機において、リセットの保留は所定時間経過するまで継続することを特徴とする非接触式自動改札機。
【請求項３】
請求項１又は２に記載の非接触式自動改札機において、その非接触式自動改札機の本体と非接触券とのデータ授受が再開されたときは、入出場処理を継続させることを特徴とする非接触式自動改札機。
【請求項４】
請求項１ないし３のいずれかに記載の非接触式自動改札機において、リセットの保留となった非接触券が他の非接触式自動改札機の本体との間で交信を行ったときにその他の非接触式自動改札機の本体で入出場処理を継続して行うことを特徴とする非接触式自動改札機。
【発明の詳細な説明】
【０００１】
【発明の属する技術分野】
本発明は、無線通信機能を備えたＩＣカードからなる非接触券で入出場処理を行う非接触式自動改札機に関する。
【０００２】
【従来の技術】
近年、利用者（旅客）の利便性を高めるために、乗車券を自動改札機に投入することなく、非接触式に自動改札が行える非接触式自動改札機が使用されている。この非接触式自動改札機は、非接触券と非接触式自動改札機の本体（以下、「改札機本体」という。）との間で、非接触でデータの授受が行われて入出場（本発明で「入出場」というときは、「入場」又は「出場」を意味している。）処理が行われるように構成されている。
【０００３】
非接触券と改札機本体との間のデータ授受は、先ず、非接触券が改札機本体に設けられているアンテナにかざされ、又はそのアンテナに軽くタッチされると  （以下、タッチで説明する。）、非接触券に記録されている定期券の乗車区間や有効期間等の所定のカードデータが読取られる。そして、改札機本体では、その読取られたカードデータを基に入出場のための所定の演算処理を行い、その演算処理の結果が入出場を許可できるとき、ドアが開かれて（改札機本体がノーマルオープン型のときはそのまま）利用者の改札通路の通過が許可されるとともに、その演算処理の結果のデータ、すなわち、新たな入出場データが非接触券に書込まれる。非接触券にその新たな入出場データが書込まれたことが非接触券からの信号により改札機本体で確認できたことをもって、その非接触券に対する一連の処理が終了となる。
【０００４】
ところで、上記従来の非接触式自動改札機は、一つの非接触券に対する一連の処理が終了するまでの間、例えば、改札機本体における非接触券のカードデータの読取終了後に非接触券がアンテナの通信範囲外に出るなどして入出場処理が中断し、その後、利用者が改札通路外へ戻る（退出する）と、改札機本体はリセット処理される。したがって、利用者は、再度、非接触をアンテナにタッチして入出場処理を行う必要がある。
【０００５】
【発明が解決しようとする課題】
しかしながら、上記従来の非接触式自動改札機は、改札機本体と非接触券との間の一連の処理が中断したときに利用者が改札通路から戻ると改札機本体がリセット処理されるので、処理の進み具合によっては、非接触券から乗車料金が２度引きされるというような不都合が発生してしまうおそれがある。
【０００６】
そこで、本発明は、上述の不都合を防止するためになされたものであって、その目的は、改札機本体と非接触券との間の処理中断の状況に合わせて改札機本体をリセットすることのできる非接触式自動改札機を提供することにある。
【０００７】
【課題を解決するための手段】
本発明に係る非接触式自動改札機は、上記目的を達成するために、請求項１に記載の発明は、改札機本体と非接触券との間でデータの授受を行って入出場処理する非接触式自動改札機において、前記改札機本体の改札通路内の利用者を検知する人間検知手段と、前記非接触券に記録されているデータを読取る読取手段と、読取られたデータを基にした所定の入出場の演算処理の結果、入出場が許可されたときの所定のデータを前記非接触券に書込む書込手段と、前記非接触券に所定のデータの書込みが行われたことを確認する確認手段と、前記非接触券に記録されたデータの確認前にその入出場処理が中断し、かつ、前記改札通路からの利用者の戻りが検知されたときにその改札機本体のリセットを保留するリセット制御手段と、を有することを特徴としている。
本発明の請求項２に記載の非接触式自動改札機は、リセットの保留は所定時間経過するまで継続することを特徴としている。
本発明の請求項３に記載の非接触式自動改札機は、その改札機本体と非接触券とのデータ授受が再開されたときは、入出場処理を継続させることを特徴としている。
本発明の請求項４に記載の非接触式自動改札機は、リセットの保留となった非接触券が他の改札機本体との間で交信を行ったときにその他の改札機本体で入出場処理を継続して行うことを特徴としている。
【０００８】
【発明の実施の形態】
以下、本発明の実施の形態を図面に基づいて説明する。図１は、一実施の形態に係る非接触式自動改札機の斜視図であって、改札機本体Ｇの入口側の筐体Ｈの上面には、図示しない非接触券及び非接触式トークン（以下、「トークン」という。）Ｔと交信するための内部にアンテナａを備えたカバーａ′が設けられている。
【０００９】
改札機本体Ｇの筐体Ｈの改札通路Ｐの入口側には、改札機本体Ｇの使用状態、つまり改札通路Ｐを通過できるか否かを利用者に表示するための表示部１が設けられている。また、図１中、Ｓ，Ｓ…は、改札通路Ｐへの利用者の進入又は改札通路Ｐからの退出、あるいは、通過を検知するための光電式の人間検知器であって、筐体Ｈの側面に所定の間隔を保って設けられている。さらに、この人間検知器は、筐体Ｈの上面の改札通路Ｐと反対側で、その改札通路Ｐの通過方向に沿って設けられたセンサ取付ボックス２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。
【００１０】
筐体Ｈの側面には、利用者に対して音声により所定の案内をアナウンスするためのスピーカ３が取付けられているとともに、その筐体Ｈの側面の改札通路Ｐの出口側及び進入側には、ドアＤ1 ，Ｄ2 がそれぞれ設けられている。また、筐体Ｈの上面のほぼ中央部には、利用者に対して文字により所定の案内を行うための表示画面４が取付けられている。
【００１１】
図１中、５は、改札機本体Ｇの動作を司どる本発明の各手段を担う制御器であり、マイクロコンピュータを中心に構成されている。そして、この制御器５には、非接触券との間でデータの授受を行うための上述のアンテナａを接続したリーダライタＲ（後述の図２参照）が接続されている。
【００１２】
図２は、改札機本体Ｇに設けられている制御器５及び非接触券Ｃの電気的構成を示すブロック図である。制御器５側から説明すると、この制御器５のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、このＣＰＵ２０には、Ｉ／Ｏユニット２３を介してドアＤ1 ，Ｄ2 を駆動制御するドア駆動ユニット２４と、表示画面４の表示内容を駆動制御する表示画面駆動ユニット２５とが接続されている。なお、このＣＰＵ２０には、人間検知器Ｓ，Ｓ…、Ｓ′，Ｓ′…の検知信号を入力するためのセンサアンプや改札機本体Ｇを管理制御する図示しない駅務機器制御装置（駅制）と通信を行うための通信制御部等が接続されているが、ここでは省略されている。
【００１３】
リーダライタＲには、非接触券Ｃと交信を行うためのアンテナａが接続されている。このアンテナａは、非接触券Ｃとデータ授受を行う機能と、非接触券Ｃに電力を供給する機能とが備えられている。
【００１４】
非接触券Ｃは、無線通信機能を有するＩＣカードと同様に構成されている。すなわち、この非接触券Ｃには、アンテナＡと、改札機本体Ｇ側と交信するための通信制御部３０と、その通信制御部３０とＩ／Ｏユニット３１を介して接続されているＣＰＵ３２と、システムプログラムデータ、定期券データ、ストアードフェアカード（ＳＦカード）データ及びカードＩＤデータ等の所定のカードデータの記録されているメモリ３３と、改札機本体Ｇからの電力波をアンテナＡを介して受信し、非接触券Ｃの駆動電力を生成する電力生成回路３４とを有している。
【００１５】
以下、図３のフローチャートを用いて制御動作を説明する。今、利用者が改札機本体Ｇのアンテナａに非接触券Ｃをタッチしたとする（ステップ１００肯定。以下、ステップを「Ｓ」とする。）。非接触券Ｃがアンテナａにタッチされると、改札機本体Ｇは、非接触券Ｃに記録されているカードデータの読取りを開始し（Ｓ１０２）、そのカードデータの読取りが終了すると（Ｓ１０４肯定）、制御器５では、その読取られたカードデータを基にした入出場の演算処理が行われる（Ｓ１０６）。
【００１６】
制御器５による演算処理の結果、入出場を許可できるときは（Ｓ１０８肯定）、非接触券Ｃに対してその演算処理結果のデータである新たな入出場データの書込みが行われる（Ｓ１１０）。そして、その入出場データの書込みが終了したことの通知が非接触券Ｃから改札機本体Ｇにあれば（Ｓ１１２肯定）、ドアＤ1 が開かれて（改札機本体Ｇがノーマルオープン型のときはそのまま）利用者の改札通路Ｐの通過が許可される（Ｓ１１４）。なお、上述の演算処理の結果、入出場を許可できないときは（Ｓ１０８否定）、ドアＤ1 が閉じられるとともに、表示画面４及びスピーカ３を介して精算処理案内等の適切な案内が行われる（Ｓ１１６）。
【００１７】
さて、改札機本体Ｇが非接触券Ｃに記録されているカードデータの読取りの途中、非接触券Ｃがアンテナａの通信範囲から外れるなどして中断したときは（Ｓ１１８肯定）、表示画面４及びスピーカ３を介して利用者に対して非接触券Ｃのアンテナａへの再タッチ案内が行われる（Ｓ１２０）。この案内に従って非接触券Ｃがアンテナａにタッチされて読取りが終了すれば、上述した入出場の演算処理が行われる（図３では省略）。
【００１８】
利用者がアンテナａへ非接触券Ｃを再タッチすることなく改札通路Ｐから入口方向へ退出したとき、いわゆる戻ってしまったときは（Ｓ１２２肯定）、改札機本体Ｇはリセット処理されて次客処理待ちとなる（Ｓ１２４）。
【００１９】
また、非接触券Ｃからの書込終了の通知がないまま中断したときは（Ｓ１１２否定）、表示画面４及びスピーカ３を介してアンテナａへの非接触券Ｃの再タッチ案内が行われる（Ｓ１２６）。その案内に従って利用者が非接触券Ｃをアンテナａにタッチすると、図３のフローチャートでは省略されているが、初回（前回）の読取りによって得られたカードＩＤと今回のカードＩＤの照合一致の下に非接触券Ｃに対する処理が継続され、非接触券Ｃから書込終了の通知があれば、上述したドア開の処理が行われる。なお、非接触券Ｃからの書込終了の通知がない状態において、利用者が改札通路Ｐを通過しようとすると、その通過が人間検知器Ｓ，Ｓ′を介して検知され、ドアＤ1 が閉じられて通過が阻止される（図３のフローチャートでは省略）。
【００２０】
非接触券Ｃから書込終了の通知のない状態において、利用者が改札通路Ｐから戻ると（Ｓ１２８肯定）、所定時間（例えば５秒間）、改札機本体Ｇはリセット保留に置かれる（Ｓ１３０否定）。このリセット保留中に非接触券Ｃがアンテナａに再タッチされると、初回（前回）の読取られたカードＩＤと今回のカードＩＤの照合一致の下に非接触券Ｃに対する処理が継続される（図３のフローチャートでは省略）。したがって、効率的な入出場処理を行うことができる。リセット保留が経過すると（Ｓ１３０肯定）、改札機本体Ｇはリセットされ、次客処理待ちとなる（Ｓ１３２）。
【００２１】
図３のフローチャートでは示されていないが、非接触券Ｃから書込終了通知がないときは、改札機本体Ｇから駅制を介して（直接でもよい。）他の改札機本体にその非接触券Ｃに対するそれまでの処理データが送出される。したがって、利用者が他の改札機本体のアンテナに非接触券Ｃをタッチしたときは、その他の改札機本体では、送出されてきたデータ中のカードＩＤと読取られたデータ中のカードＩＤの照合一致の下に前回の処理に継続した形で入出場処理が行われる。
【００２２】
【発明の効果】
本発明の請求項１に記載の非接触式自動改札機は、改札機本体の改札通路内の利用者を検知する人間検知手段と、非接触券に記録されているデータを読取る読取手段と、読取られたデータを基にした所定の入出場の演算処理の結果、入出場が許可されたときの所定のデータを前記非接触券に書込む書込手段と、前記非接触券に所定のデータの書込みが行われたことを確認する確認手段と、前記非接触券に記録されたデータの確認前にその入出場処理が中断し、かつ、前記改札通路からの利用者の戻りが検知されたときにその改札機本体のリセットを保留するリセット制御手段とからなるので、改札通路内の利用者の状態に合わせてリセット処理を行うことができる。
本発明の請求項２に記載の非接触式自動改札機は、リセットの保留は所定時間経過するまで継続するので、非接触券の再処理を効率よく行うことができる。
本発明の請求項３に記載の非接触式自動改札機は、その改札機本体と非接触券とのデータ授受が再開されたときは、入出場処理を継続させるので、非接触券の再処理を効率よく行うことができる。
本発明の請求項４に記載の非接触式自動改札機は、リセットの保留となった非接触券が他の改札機本体との間で交信を行ったときにその他の改札機本体で入出場処理を継続して行うので、非接触券の再処理を効率よく行うことができる。
【図面の簡単な説明】
【図１】本発明の一実施の形態に係る非接触式自動改札機の斜視図である。
【図２】制御器及び非接触券の電気的構成を示すブロック図である。
【図３】制御動作を示すフローチャートである。
【符号の説明】
Ｇ  非接触式自動改札機の本体（改札機本体）
Ｃ  非接触券
５  制御器
【図１】
0003857592.tif 000002
【図２】
0003857592.tif 000003
【図３】
0003857592.tif 000004